(57)【要約】【課題】円筒型電池の温度を適正に測定可能な温度センサの収容構造を提供すること。【解決手段】温度センサの収容構造３は、温度センサ１と、センサ収容体２と、を備える。温度センサ１は、円筒型電池４の外周曲面４ａの形状に対応するように湾曲した測温面１４ａを有する。センサ収容体２は、温度センサ１を収容する収容部５３、測温面１４ａと外周曲面４ａとの当接が可能であるように収容部５３を構成する壁体５０に設けられる開口部５４、及び、前記当接の際に円筒型電池４と温度センサ１とに挟まれることになる空間５６に向けて壁体５０から突出する凸部５５、を有する。凸部５５として、開口部５４の周縁から円筒型電池４の外周曲面４ａに沿って延びる延出箇所を有することが好ましい。【選択図】図５
2019100952.tif 000002
【特許請求の範囲】
【請求項１】
円筒型電池の外周曲面の形状に対応するように湾曲した測温面を有する温度センサと、
前記温度センサを収容する収容部、前記測温面と前記外周曲面との当接が可能であるように前記収容部を構成する壁体に設けられる開口部、及び、前記当接の際に前記円筒型電池と前記温度センサとに挟まれることになる空間に向けて前記壁体から突出する凸部、を有するセンサ収容体と、を備えた、
温度センサの収容構造。
【請求項２】
請求項１に記載の温度センサの収容構造において、
前記センサ収容体は、
前記凸部として、前記開口部の周縁から前記円筒型電池の前記外周曲面に沿って延びる延出箇所を有する、
温度センサの収容構造。
【請求項３】
請求項１又は請求項２に記載の温度センサの収容構造において、
前記温度センサは、
前記測温面を前記円筒型電池の前記外周曲面に当接させる向きに押圧された状態にて、前記センサ収容体の前記収容部に収容される、
温度センサの収容構造。
【請求項４】
請求項１〜請求項３の何れか一項に記載の温度センサの収容構造において、
前記温度センサが、
前記測温面を構成する第１伝熱板、及び、前記外周曲面の周方向における前記第１伝熱板の両端部から延びる一対の第２伝熱板、を有する伝熱体と、
前記第１伝熱板及び前記一対の第２伝熱板に囲まれるように配置される測温素子と、
前記測温素子と前記伝熱体との間に設けられる絶縁体と、を有する、
温度センサの収容構造。
【請求項５】
円筒型電池と、前記円筒型電池の温度を測定する温度センサと、前記温度センサを収容するセンサ収容体と、を備えた電池パックであって、
前記温度センサ及び前記センサ収容体は、
請求項１〜請求項４の何れか一項に記載の収容構造を構成する、
電池パック。
【発明の詳細な説明】
【技術分野】
【０００１】
本発明は、円筒型電池の温度を測定するための温度センサの収容構造、及び、その収容構造を利用した電池パック、に関する。
【背景技術】
【０００２】
従来から、ハイブリッド自動車および電気自動車などに搭載されるバッテリの過充電および過放電を防止する等の目的から、バッテリの温度を測定するための温度センサが提案されている。この種の温度センサは、一般に、バッテリを構成する複数のバッテリセルの表面に密着するように装着され、バッテリセルの温度を監視するようになっている（例えば、特許文献１を参照。）。
【先行技術文献】
【特許文献】
【０００３】
【特許文献１】特開２０１１−１７６３８号公報
【発明の概要】
【発明が解決しようとする課題】
【０００４】
上述した従来の温度センサは、金属製の伝熱板の表面（測温面）を角型のバッテリセルの表面に押圧接触させると共に、伝熱板の近傍に設けられた測温素子（サーミスタ等）によってバッテリセルの温度を間接的に測定するように構成されている。更に、この従来の温度センサでは、角型のバッテリセルの表面と伝熱板の表面との接触面積を大きくするべく、測温面が平面形状を有している。
【０００５】
ところで、種々の理由から、角型のバッテリセルに代えて円筒型のバッテリセル（円筒型電池）を用いてバッテリが構成される場合がある。この場合、上述した従来の温度センサをそのまま用いると、伝熱板の平面形状の測温面と円筒型のバッテリセルの外周曲面との接触面積は、当然に、角型のバッテリセルへの適用時の接触面積に比べて小さくなる。このように接触面積が小さくなることに起因し、上述した従来の温度センサは、円筒型のバッテリセルの温度を適正に測定できない可能性がある。
【０００６】
本発明は、上述した事情に鑑みてなされたものであり、その目的は、円筒型電池の温度を適正に測定可能な温度センサの収容構造、及び、その収容構造を利用した電池パックを提供することにある。
【課題を解決するための手段】
【０００７】
前述した目的を達成するために、本発明に係る「温度センサの収容構造」は、下記（１）〜（４）を特徴としている。
（１）
円筒型電池の外周曲面の形状に対応するように湾曲した測温面を有する温度センサと、
前記温度センサを収容する収容部、前記測温面と前記外周曲面との当接が可能であるように前記収容部を構成する壁体に設けられる開口部、及び、前記当接の際に前記円筒型電池と前記温度センサとに挟まれることになる空間に向けて前記壁体から突出する凸部、を有するセンサ収容体と、を備えた、
温度センサの収容構造であること。
（２）
上記（１）に記載の温度センサの収容構造において、
前記センサ収容体は、
前記凸部として、前記開口部の周縁から前記円筒型電池の前記外周曲面に沿って延びる延出箇所を有する、
温度センサの収容構造であること。
（３）
上記（１）又は上記（２）に記載の温度センサの収容構造において、
前記温度センサは、
前記測温面を前記円筒型電池の前記外周曲面に当接させる向きに押圧された状態にて、前記センサ収容体の前記収容部に収容される、
温度センサの収容構造であること。
（４）
上記（１）〜上記（３）の何れか一つに記載の温度センサの収容構造において、
前記温度センサが、
前記測温面を構成する第１伝熱板、及び、前記外周曲面の周方向における前記第１伝熱板の両端部から延びる一対の第２伝熱板、を有する伝熱体と、
前記第１伝熱板及び前記一対の第２伝熱板に囲まれるように配置される測温素子と、
前記測温素子と前記伝熱体との間に設けられる絶縁体と、を有する、
温度センサの収容構造であること。
【０００８】
上記（１）の構成の温度センサの収容構造によれば、温度センサの測温面が円筒型電池の外周曲面の形状に対応するように湾曲した形状を有するため、従来の温度センサのように平面形状の測温面を有する場合に比べ、測温面と円筒型電池の外周曲面との接触面積を拡大させられる。このように接触面積が拡大することに起因し、本構成の温度センサの収容構造は、円筒型電池の温度を適正に測定できる。
【０００９】
更に、温度センサの測温面が円筒型電池の外周曲面に当接された状態にて、円筒型電池と温度センサとに挟まれることになる空間に向けてセンサ収容体の壁体から凸部が突出するように、センサ収容体が構成されている。この構成により、凸部が無い場合に比べ、円筒型電池とセンサ収容体との間の空間を流体が通過する際の圧力損失が大きくなる。よって、例えば、作動中に昇温する円筒型電池を冷却するための冷却風がその空間に流入し得るとしても、凸部が無い場合に比べて圧力損失が大きくなっている分だけ、その空間への冷却風の流入量が減ることになる。冷却風の流入量の低減によって測温面などの意図しない冷却を抑制することにより、凸部が無い場合に比べ、温度センサによる測温精度が向上し得る。
【００１０】
したがって、本構成の温度センサの収容構造は、円筒型電池の温度を適切に測定できる。
【００１１】
上記（２）の構成の温度センサの収容構造によれば、円筒型電池と温度センサとに挟まれる空間に冷却風が流入する際の流入口にあたる箇所（開口部の周縁の箇所）において、延出箇所（凸部）の延出長さの分だけ冷却風が移動する流路を長くできる。このように流路を長くすることにより、流入口での圧力損失を大きくできる。よって、流入口にあたる箇所とは異なる箇所に凸部を設ける場合に比べ、冷却風の流入量をより効率良く低減できる。なお、センサ収容体は、この凸部（延出箇所）に加え、他の箇所に設けられた凸部を有してもよい。
【００１２】
上記（３）の構成の温度センサの収容構造によれば、温度センサの測温面が円筒型電池の外周曲面に押圧されることにより、実際の測温の際、測温面と外周曲面とが当接した状態をより確実に維持できる。なお、仮にそのような押圧を実現するための機構等に起因して温度センサとセンサ収容体との間の空間（冷却風が流入し得る空間）が拡大しても、センサ収容体に設けられた凸部によって冷却風の流入が抑制できるため、温度センサの測温精度が低下することを抑制できる。
【００１３】
上記（４）の構成の温度センサの収容構造によれば、第１伝熱板と第２伝熱板とに囲まれるように測温素子が配置される。よって、円筒型電池の表面から第１伝熱板の測温面に伝わった熱を、第１伝熱板及び第２伝熱板を介し、測温素子を包み込むように多方向から伝達できる。よって、円筒型電池から伝わった熱を一方向から測温素子に伝達する場合に比べ、円筒型電池の温度をより適正に測定できる。
【００１４】
更に、測温素子と伝熱体との間に絶縁体が設けられている。そのため、伝熱体として導電性の高い材料（例えば、金属）を用いる場合であっても、円筒型電池と測温素子との間を確実に絶縁させることができる。この絶縁により、円筒型電池と測温素子との間の電気的短絡による測温素子の故障等を防止できる。
【００１５】
前述した目的を達成するために、本発明に係る「電池パック」は、下記（５）を特徴としている。
（５）
円筒型電池と、前記円筒型電池の温度を測定する温度センサと、前記温度センサを収容するセンサ収容体と、を備えた電池パックであって、
前記温度センサ及び前記センサ収容体は、
上記（１）〜上記（４）の何れか一つに記載の収容構造を構成する、
電池パックであること。
【００１６】
上記（５）の構成の電池パックによれば、温度センサの測温面が円筒型電池の外周曲面の形状に対応するように湾曲した形状を有するため、従来の温度センサのように平面形状の測温面を有する場合に比べ、測温面と円筒型電池の外周曲面との接触面積を拡大させられる。このように接触面積が拡大することに起因し、本構成の温度センサの収容構造は、円筒型電池の温度を適正に測定できる。
【００１７】
更に、温度センサの測温面が円筒型電池の外周曲面に当接された状態にて、円筒型電池と温度センサとに挟まれることになる空間に向けてセンサ収容体の壁体から凸部が突出するように、センサ収容体が構成されている。この構成により、凸部が無い場合に比べ、円筒型電池とセンサ収容体との間の空間を流体が通過する際の圧力損失が大きくなる。よって、例えば、作動中に昇温する円筒型電池を冷却するための冷却風がその空間に流入し得るとしても、凸部が無い場合に比べて圧力損失が大きくなっている分だけ、その空間への冷却風の流入量が減ることになる。冷却風の流入量の低減によって測温面などの意図しない冷却を抑制することにより、凸部が無い場合に比べ、温度センサによる測温精度が向上し得る。
【００１８】
したがって、本構成の電池パックは、円筒型電池の温度を適切に測定できる。
【発明の効果】
【００１９】
本発明によれば、円筒型電池の温度を適正に測定可能な温度センサの収容構造、及び、その収容構造を利用した電池パック、を提供できる。
【００２０】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００２１】
【図１】図１は、本発明の実施形態に係る温度センサの収容構造に含まれる温度センサの斜視図である。
【図２】図２は、温度センサの分解斜視図である。
【図３】図３（ａ）は温度センサの側面図であり、図３（ｂ）は図３（ａ）のＢ部の拡大図である。
【図４】図４は、温度センサの下面図である。
【図５】図５は本発明の実施形態に係る電池パックにおける図３（ａ）のＡ−Ａ断面に相当する断面図である。
【図６】図６は、図５における測温面の周囲を拡大した拡大図である。
【図７】図７は、冷却風が電池セルの外部から円筒型電池に吹き付けられた場合におけるセンサ収容体の延出箇所の作用を説明するための図である。
【図８】図８は、比較例に係る電池パックにおける図７に対応する図である。
【発明を実施するための形態】
【００２２】
＜実施形態＞
以下、図面を参照しながら、本発明の実施形態に係る温度センサの収容構造、及び、収容構造を利用した電池パック、について説明する。
【００２３】
本実施形態においては、温度センサ１と、温度センサ１を収容するセンサ収容体２と、によって収容構造３を構成した上で、円筒型電池４を所定箇所に配置するように、電池パック５が構成されている（図５を参照）。以下、温度センサ１、センサ収容体２、収容構造３、円筒型電池４、電池パック５の詳細な構造について、順に説明していく。
【００２４】
先ず、図１〜図６を参照しながら、温度センサ１について説明する。温度センサ１は、センサ本体１０と、押圧体２０と、支持壁３０と、規制部４０と、を備える。以下、説明の便宜上、図１に示すように、「前後方向」、「上下方向」、「幅方向」、「前」、「後」、「上」及び「下」を定義する。「前後方向」、「上下方向」及び「幅方向」は、互いに直交している。幅方向は、本発明の「周方向」にも相当している。
【００２５】
図３（ａ）のＡ−Ａ断面に相当する断面図である図５に示すように、センサ本体１０は、ハウジング１１と、伝熱体１２と、測温素子１３と、を備える。
【００２６】
ハウジング１１は、樹脂製であり、図２及び図５から理解できるように、前後方向に延びる角筒状の形状を有している。ハウジング１１は、前端面が塞がれ、後端面が開口している。ハウジング１１の後端面の開口からは、測温素子１３に接続された後述する電線１８が延出している（図１を参照）。
【００２７】
伝熱体１２は、導電性の高い材料（例えば、金属）から構成される。図２及び図５から理解できるように、伝熱体１２は、前後方向に延びる第１伝熱板１４と、第１伝熱板１４の幅方向両端部から上方に立設すると共に前後方向に平板状に延びる一対の第２伝熱板１５と、を備える。伝熱体１２は、例えば、１枚の金属板を折り曲げることによって形成されている。
【００２８】
第１伝熱板１４の下面は、円筒型電池４の外周曲面４ａ（図５を参照）に当接される測温面１４ａとして機能する面である。測温面１４ａと円筒型電池４の外周曲面４ａとの接触部分を増すため、第１伝熱板１４の測温面１４ａは、前後方向に直交する断面形状（図５に示す断面形状）が、外周曲面４ａの形状に対応するように上方に湾曲した円弧状の形状を有している。測温面１４ａの曲率半径は、円筒型電池４の外周曲面４ａの曲率半径に対し、基本的に若干小さい値となっており、公差の範囲内で同じ値になる。測温面１４ａの曲率半径をこのような値に設計することにより、円筒型電池４の外周曲面４ａに対して測温面１４ａを常に２線接触（又は、公差の範囲内で両者の曲率半径が同じ値になったときには面接触）させることができる。なお、仮に、測温面１４ａと外周曲面４ａとが同じ曲率半径を有するように設計した場合、公差の範囲内で両者が１線接触する可能性がある。１線接触の場合、２線接触の場合に比べて温度センサ１の測温性能が低下し得る。このような１線接触を避けるべく、上記のように、測温面１４ａの曲率半径が外周曲面４ａの曲率半径よりも若干小さい値に設計されている。
【００２９】
図５から理解されるように、伝熱体１２は、ハウジング１１にインサート成形されて一体化されている。具体的には、一対の第２伝熱板１５の全体は、ハウジング１１の一対の側壁の内部に埋設されており（図５を参照）、第１伝熱板１４の全体（測温面１４ａの全体）は、ハウジング１１の下壁の直下に露出している（図４を参照）。
【００３０】
図２に示すように、測温素子１３は、サーミスタ素子であって、樹脂１３ａによって封止されている。樹脂封止された測温素子１３の後端には、測温素子１３に接続された一対のリード線１６が延出しており、一対のリード線１６はそれぞれ、加締め部品１７を介して、一対の電線１８の導体部分に接続されている。一対の電線１８は、温度測定装置または温度測定回路基板（図示省略）に接続されるようになっている。
【００３１】
測温素子１３は、角筒状のハウジング１１の後端面の開口から挿入されて、図５に示すように、ハウジング１１の内部空間において、第１伝熱板１４及び一対の第２伝熱板１５に囲まれるように配置されている。ハウジング１１の内部空間には、測温素子１３の周囲においてポッティング樹脂材１９が充填されている。このポッティング樹脂材１９により、測温素子１３は、ハウジング１１内にて固定され且つ保護されている。
【００３２】
次いで、支持壁３０について説明する。本例では、支持壁３０は、押圧体２０（具体的には、片持ち梁状の押圧体２０の固定端）を固定する機能を有する。
【００３３】
図１〜図３に示すように、支持壁３０は、一対の支持壁本体３１を備える。一対の支持壁本体３１は、角筒状のハウジング１１の両側壁の下端部にて前端近傍位置から前後方向中央付近までに亘って、幅方向外側に一体で突出し、且つ、平板状に前後方向に延びている。
【００３４】
支持壁本体３１の上面には、押圧体２０を係止して固定するための係止部３２と、係止部３２の後方にて押圧体２０の先端面を突き当てるストッパ部３３と、が形成されている。係止部３２には、押圧体２０を挿入するための挿入孔（前後方向に貫通する貫通孔）が形成されている。
【００３５】
次いで、押圧体２０について説明する。押圧体２０は、一対の支持壁３０にそれぞれ設けられている。一対の押圧体２０は、センサ本体１０の測温面１４ａを下向き（即ち、円筒型電池４の外周曲面４ａに当接させる向き）に弾性的に押圧するようになっている。換言すると、一対の押圧体２０は、下向きの弾性力を発生する機能を有している。
【００３６】
押圧体２０は、板バネから構成されている。特に、図３に示すように、押圧体２０は、板バネの一端から前方に延びる第１部分２１と、第１部分２１の前端部から屈曲して上方且つ後方に向けて斜めに延びる第２部分２２と、第２部分２２の上端部から屈曲して下方且つ後方に向けて斜めに延びる第３部分２３と、第３部分２３の下端部から屈曲して板バネの他端まで上方且つ後方に向けて斜めに延びる第４部分２４と、で構成される。
【００３７】
第１部分２１は、支持壁本体３１の係止部３２の挿入孔に前方から挿入され、後端（板バネの一端）が支持壁本体３１のストッパ部３３に突き当てられた状態で、支持壁本体３１に固定されている。第１部分２１の前端部（第２部分２２の下端部）は、押圧体２０の固定端２６として機能している。
【００３８】
また、第３部分２３の下端部（第４部分２４の下端部）は、押圧体２０の自由端２７として機能している。第２部分２２の上端部（第３部分２３の上端部）は、ハウジング１１の上壁より上方に位置しており、センサ収容体２の上壁５１（図５を参照）に押し当てられる押圧体２０の頂部２８として機能する。このように、押圧体２０は、片持ち梁状の構成を有する。
【００３９】
次いで、規制部４０について説明する。規制部４０は、押圧体２０の自由端２７の移動可能範囲（可動範囲）を制限する機能を有する。図１〜図３に示すように、規制部４０は、内部空間（収容室）を有する箱状部分であり、角筒状のハウジング１１の両側壁のそれぞれの後端部から、幅方向外側に一体で突出するように設けられている。
【００４０】
特に、図３に示すように、規制部４０の前壁４１は、押圧体２０の第３部分２３の延在方向に沿うように、斜めに延びている。前壁４１には、前壁４１の延在方向に延びると共に規制部４０の収容室と連通する窓（貫通孔）４２が形成されている。この窓４２を介して、押圧体２０の第４部分２４（自由端２７を含む）が、規制部４０の収容室に進入・収容されている。
【００４１】
押圧体２０の自由状態（弾性復元力が作用していない状態）では、図３に示すように、自由端２７と窓４２の下壁面との間には、一対の頂部２８をセンサ収容体２の上壁５１に押し当てた際に発生する押圧体２０の最大弾性変形量に応じた十分な隙間が確保されている。
【００４２】
また、自由端２７と窓４２の上壁面４３（図３（ｂ）を参照）との間には、僅かな隙間しか確保されていない。これにより、意図せずに押圧体２０に対して上向きに過度の荷重（図３（ｂ）の白矢印を参照）が作用した場合であっても、自由端２７が窓４２の上壁面４３に当接してそれ以上の上向きの移動が規制されることで、押圧体２０が上向きに過度に変形することが防止される。なお、押圧体２０の自由状態において、自由端２７と窓４２の上壁面４３との間に隙間が確保されていなくてもよい（即ち、自由端２７と窓４２の上壁面４３とが当接していてもよい）。
【００４３】
また、自由端２７と窓４２の幅方向両側壁面との間には、僅かな隙間しか確保されていない。これにより、意図せずに押圧体２０に対して幅方向に過度の外力が作用した場合であっても、押圧体２０が幅方向に過度に変形することが防止される。
【００４４】
次いで、図５を参照しながら、センサ収容体２について説明する。センサ収容体２は、樹脂製の壁体５０を有している。壁体５０は、前後方向に平板状に延びる上壁５１と、上壁５１の幅方向両端部から垂下すると共に前後方向に平板状に延びる一対の側壁５２と、を備える。
【００４５】
上壁５１と一対の側壁５２とにより、温度センサ１を収容するための収容部５３が構成（画成）されている。壁体５０の下方には、一対の側壁５２の下端部の間に位置する開口部５４が形成されている。この開口部５４を通して、センサ本体１０の測温面１４ａと円筒型電池４の外周曲面４ａとが当接可能となっている。上壁５１には、軽量化等のため、１つ又は複数の貫通孔５１ａが設けられている。一対の側壁５２にも同様の貫通孔が設けられていてもよい。
【００４６】
壁体５０は、更に、一対の側壁５２の下端部（即ち、開口部５４の周縁）から一体で幅方向内側且つ上方に斜めに延びる一対の延出箇所５５を備えている。図５に示すように、収容部５３に収容された温度センサ１の測温面１４ａと円筒型電池４の外周曲面４ａとが当接した状態（電池パック５の組付完了状態）では、一対の延出箇所５５は、温度センサ１（より具体的には、一対の支持壁本体３１）と円筒型電池４とに挟まれた空間５６に向けて一対の側壁５２から突出（延出）し、且つ、円筒型電池４の外周曲面４ａに沿って延びている。空間５６は、収容部５３の一部（下部領域）を構成している。
【００４７】
なお、図５に示すように、測温面１４ａとの外周曲面４ａとが当接した状態（電池パック５の組付完了状態）において、各部品の製造誤差などに起因して、外周曲面４ａと一対の延出箇所５５との間に隙間Ｓが発生し得る。
【００４８】
以上の構成を有する温度センサ１とセンサ収容体２とで、温度センサの収容構造３が構成される。そして、この収容構造３の所定箇所に円筒型電池４を配置するように、電池パック５が構成されている。
【００４９】
次いで、以上の構成を有する電池パック５の使用状態について説明する。センサ収容体２（よって、壁体５０）と円筒型電池４とは、上下方向および幅方向に（図５の紙面上下左右方向に）相対移動不能に配置される。但し、円筒型電池４は、前後方向（紙面の手前・奥方向）に移動可能に配置されてもよく、周方向に回転可能に配置されてもよい。温度センサ１は、センサ収容体２と円筒型電池４との間（より具体的には、上壁５１と円筒型電池４との間）にて、上下方向（測温面１４ａと外周曲面４ａとの対向方向）において、センサ収容体２に対して相対移動可能に配置され、図５に示すように、一対の押圧体２０の頂部２８を上壁５１に押し当てた状態で装着される。なお、温度センサ１は、前後方向及び幅方向においては、センサ収容体２に対して相対移動不能に配置されることが好適である。
【００５０】
温度センサ１の装着状態において、一対の押圧体２０は、上壁５１から受ける反力によって、自由端２７が下方に移動する（より正確には、下方且つ後方に斜めに移動する）ように弾性変形している。この結果、一対の押圧体２０は、支持壁本体３１を介してセンサ本体１０（測温面１４ａ）を、円筒型電池４の外周曲面４ａに向けて下向きに押圧する弾性復元力を発生している。この弾性復元力によって、温度センサ１の測温面１４ａと、円筒型電池４の外周曲面４ａとの間の密着状態が維持されている（図６を参照）。このように温度センサ１がセンサ収容体２及び円筒型電池４に装着されることによって、電池パック５の組み付けが完了する（電池パック５の組付完了状態）。
【００５１】
温度センサ１の装着状態（温度センサ１の測温面１４ａと円筒型電池４の外周曲面４ａとが密着された状態）では、円筒型電池４の外周曲面４ａの温度に応じた量の熱が測温面１４ａに伝達され、測温面１４ａに伝達された熱が、第１伝熱板１４及び一対の第２伝熱板１５を介して測温素子１３に伝達される。そして、温度測定装置又は温度測定回路基板に接続された測温素子１３により、円筒型電池４の外周曲面４ａの温度が測定される。
【００５２】
次いで、センサ収容体２が備える一対の延出箇所５５による作用・効果について説明する。電池パック５の使用状態では、円筒型電池４の充放電による円筒型電池４の温度の過度の上昇を防止するため、円筒型電池４に対して冷却風が吹き付けられる。
【００５３】
以下、図５に示すように、外周曲面４ａと一対の延出箇所５５との間に隙間Ｓが形成された状態において、冷却風が下方から上方へ向けて円筒型電池４に対して吹き付けられる場合を想定する。
【００５４】
この場合、図７において矢印に示すように、冷却風の一部は、隙間Ｓを介して壁体５０内の空間５６に流入し得る。空間５６に流入した冷却風は、温度センサ１に当たりながら、壁体５０の内部空間（即ち、収容部５３）を通過し、貫通孔５１ａを介して外部に排出されていく。
【００５５】
このように、冷却風が温度センサ１に当たると、温度センサ１の温度（ひいては、測温素子１３に伝達される熱量）が低下することに起因し、温度センサ１の測温精度が低下し得る。よって、温度センサ１の測温精度の低下を抑制するためには、冷却風の隙間Ｓからの流入を抑制することが好ましい。一対の延出箇所５５は、冷却風の隙間Ｓからの流入を抑制するために設けられている。
【００５６】
具体的には、本実施形態のように一対の延出箇所５５がセンサ収容体２に設けられていると、図８に示す一対の延出箇所５５が設けられていない比較例と比べ、空間５６の体積が小さくなる。空間５６の体積が小さくなると、隙間Ｓを介して流入した冷却風が空間５６を通過する際の圧力損失が大きくなるため、冷却風が空間５６に流入し難くなる。よって、比較例に比べ、冷却風の流入に起因する温度センサ１の測温精度の低下を抑制できることになる。
【００５７】
更に、一対の延出箇所５５が、空間５６に冷却風が流入する際の流入口にあたる箇所にて、円筒型電池４の外周曲面４ａに沿って延びている。この延出箇所５５により、比較例と比べ、冷却風の流入口にあたる箇所にて、延出箇所５５の延出長さの分だけ隙間Ｓの長さ（流入口近傍における冷却風の流路長さ）を長くできる。この流路長さの延長により、流入口近傍における冷却風の圧力損失を大きくできる。よって、冷却風の流入口にあたる箇所とは異なる箇所に延出箇所５５に相当する凸部を設ける場合に比べ、冷却風の流入をより効率良く抑制でき、冷却風の流入に起因する温度センサ１の測温精度の低下をより一層抑制できる。
【００５８】
以上、本発明の実施形態に係る温度センサの収容構造３及び電池パック５によれば、温度センサ１の測温面１４ａが円筒型電池４の外周曲面４ａの形状に対応するように湾曲した形状を有するため、従来の温度センサのように平面形状の測温面を有する場合に比べ、測温面１４ａと円筒型電池４の外周曲面４ａとの接触面積を増大させられる。その結果、本構成の温度センサの収容構造３は、円筒型電池４の温度を適正に測定できる。
【００５９】
更に、センサ収容体２に収容された温度センサ１の測温面１４ａが円筒型電池４の外周曲面４ａに当接された状態にて、円筒型電池４と温度センサ１とに挟まれることになる空間５６に向けてセンサ収容体２の側壁５２（壁体５０）から延出箇所５５（凸部）が突出するようになっている。この延出箇所５５により、延出箇所５５が無い場合に比べて空間５６の体積が小さくなり、円筒型電池４を冷却するための冷却風が円筒型電池４とセンサ収容体２との間の隙間Ｓを通じて空間５６に流入する場合における圧力損失が大きくなる。この圧力損失の増大により、空間５６に冷却風が流入し難くなる。よって、延出箇所５５が無い場合に比べ、温度センサ１による測温精度が向上し得る。したがって、本構成の温度センサの収容構造３は、円筒型電池４の温度を適切に測定できる。
【００６０】
更に、空間５６に冷却風が流入する際の流入口にあたる箇所（壁体５０の開口部５４の周縁の箇所）において、延出箇所５５の長さの分だけ冷却風の流路を延長させ、流入口での圧力損失を大きくできる。この結果、流入口にあたる箇所とは異なる箇所に凸部を設ける場合に比べ、冷却風の流入をより効率良く抑制できる。
【００６１】
更に、押圧体２０が温度センサ１を押圧することにより、測温面１４ａと円筒型電池４の外周曲面４ａとが当接した状態をより確実に維持できる。更には、そのような押圧体２０を温度センサ１に設けることによって温度センサ１とセンサ収容体２との間の空間５６（冷却風が流入し得る空間）が大きくなっても、センサ収容体２に設けられた延出箇所５５によって冷却風の流入が抑制されているため、温度センサ１による測温精度が低下することを抑制できる。
【００６２】
更に、第１伝熱板１４と一対の第２伝熱板１５とに囲まれるように測温素子１３が配置される。よって、円筒型電池４の表面から第１伝熱板１４の測温面１４ａに伝わった熱を、第１伝熱板１４及び第２伝熱板１５を介し、測温素子１３を包み込むように多方向から伝達できる。よって、円筒型電池４から伝わった熱を一方向から測温素子１３に伝達する場合に比べ、円筒型電池４の温度をより適正に測定できる。
【００６３】
更に、測温素子１３と伝熱体１２との間にポッティング樹脂材１９が設けられている。よって、伝熱体１２として導電性の高い材料（例えば、金属）を用いる場合であっても、円筒型電池４と測温素子１３との間を確実に絶縁させることができる。したがって、円筒型電池４と測温素子１３との間の電気的短絡による測温素子１３の故障等を防止できる。
【００６４】
＜他の態様＞
なお、本発明は上記各実施形態に限定されることはなく、本発明の範囲内において種々の変形例を採用できる。例えば、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００６５】
例えば、上記実施形態では、本発明に係る凸部として、壁体５０の側壁５２の下端部から幅方向内側且つ上方に斜めに延びる延出箇所５５が採用されている。これに対し、本発明に係る凸部として、円筒型電池４と温度センサ１とに挟まれることになる空間５６の体積が小さくなる限りにおいて、例えば、凸部が、温度センサ１の表面の凹凸形状に対応した嵌め合い形状を有していてもよい。
【００６６】
更に、上記実施形態では、温度センサ１の測温素子１３としてサーミスタが用いられている。しかし、測温素子１３として、ポジスタ、熱電対、半導体素子、及び、バイメタル等が用いられてもよい。
【００６７】
更に、上記実施形態では、一対の押圧体２０がハウジング１１の幅方向両側に設けられているが、例えば、単一の押圧体２０がハウジング１１の上側の幅方向中央位置に設けられていてもよい。また、上記実施形態では、押圧体２０が支持壁３０に設けられているが、押圧体２０が支持壁３０とは別の箇所に設けられていてもよい。
【００６８】
ここで、上述した本発明に係る温度センサの収容構造３及び電池パック５の特徴をそれぞれ以下（１）〜（５）に簡潔に纏めて列記する。
（１）
円筒型電池（４）の外周曲面（４ａ）の形状に対応するように湾曲した測温面（１４ａ）を有する温度センサ（１）と、
前記温度センサ（１）を収容する収容部（５３）、前記測温面（１４ａ）と前記外周曲面（４ａ）との当接が可能であるように前記収容部（５３）を構成する壁体（５０）に設けられる開口部（５４）、及び、前記当接の際に前記円筒型電池（４）と前記温度センサ（１）とに挟まれることになる空間（５６）に向けて前記壁体（５０）から突出する凸部（５５）、を有するセンサ収容体（２）と、を備えた、
温度センサの収容構造。
（２）
上記（１）に記載の温度センサの収容構造（３）において、
前記センサ収容体（２）は、
前記凸部として、前記開口部（５４）の周縁から前記円筒型電池（４）の前記外周曲面（４ａ）に沿って延びる延出箇所（５５）を有する、
温度センサの収容構造。
（３）
上記（１）又は上記（２）に記載の温度センサの収容構造（３）において、
前記温度センサ（１）は、
前記測温面（１４ａ）を前記円筒型電池の前記外周曲面（４ａ）に当接させる向きに押圧された状態にて、前記センサ収容体（２）の前記収容部（５３）に収容される、
温度センサの収容構造。
（４）
上記（１）〜上記（３）の何れか一つに記載の温度センサの収容構造（３）において、
前記温度センサ（１）が、
前記測温面（１４ａ）を構成する第１伝熱板（１４）、及び、前記外周曲面（４ａ）の周方向における前記第１伝熱板（１４）の両端部から延びる一対の第２伝熱板（１５）を有する伝熱体（１２）と、
前記第１伝熱板（１４）及び前記一対の第２伝熱板（１５）に囲まれるように配置される測温素子（１３）と、
前記測温素子（１３）と前記伝熱体（１２）との間に設けられる絶縁体（１９）と、を有する、
温度センサの収容構造。
（５）
円筒型電池（４）と、前記円筒型電池の温度を測定する温度センサ（１）と、前記温度センサを収容するセンサ収容体（２）と、を備えた電池パック（５）であって、
前記温度センサ及び前記センサ収容体は、
上記（１）〜上記（４）の何れか一つに記載の温度センサの収容構造（３）を構成する、
電池パック。
【符号の説明】
【００６９】
１      温度センサ
２      センサ収容体
３      温度センサの収容構造
４      円筒型電池
４ａ    外周曲面
５      電池パック
１２    伝熱体
１３    測温素子
１４    第１伝熱板
１４ａ  測温面
１５    第２伝熱板
１９    ポッティング樹脂材（絶縁体）
２０    押圧体
５０    壁体
５３    収容部
５４    開口部
５５    延出箇所（凸部）
５６    空間
【図１】
2019100952.tif 000003
【図２】
2019100952.tif 000004
【図３】
2019100952.tif 000005
【図４】
2019100952.tif 000006
【図５】
2019100952.tif 000007
【図６】
2019100952.tif 000008
【図７】
2019100952.tif 000009
【図８】
2019100952.tif 000010